(57)【要約】【課題】ＰＷＭ制御される複数のスイッチング素子及び負荷に通流する各電流値を検出し、検出した各電流値を、正確に取得できる電流値取得方法の提供。【解決手段】直流電源３１からの電力を複数のスイッチング素子７〜１８によりそれぞれＰＷＭ制御して複数の負荷１９〜３０に与え、複数のスイッチング素子７〜１８に通流する各電流値を検出し、検出した各電流値をアナログ／ディジタル変換して取得する負荷制御装置１における電流値取得方法。スイッチング素子７〜１８それぞれの、ＰＷＭ周期の開始時点の遅れ量、ＰＷＭ周期、デューティ比、パルス波形の立上り開始時点、パルス波形の安定状態開始時点、及びパルス波形の立下り開始時点を収集してテーブル６を作成し、作成したテーブル６、及びアナログ／ディジタル変換の所要時間に基づき、各電流値をアナログ／ディジタル変換して取得する各時点を設定する。【選択図】図１
2015104943.tif 000002
【特許請求の範囲】
【請求項１】
直流電源からの電力を複数のスイッチング素子によりそれぞれＰＷＭ制御して複数の負荷に与え、前記複数のスイッチング素子に通流する各電流値を検出し、検出した各電流値をアナログ／ディジタル変換して取得する負荷制御装置における電流値取得方法において、
前記スイッチング素子それぞれの、ＰＷＭ周期の開始時点の所定時点からの遅れ量、ＰＷＭ周期、デューティ比、パルス波形の前記所定時点を基準とする立上り開始時点、パルス波形の前記所定時点を基準とする安定状態開始時点、及びパルス波形の前記所定時点を基準とする立下り開始時点を収集してテーブルを作成し、作成したテーブル、及び前記アナログ／ディジタル変換の所要時間に基づき、前記各電流値をアナログ／ディジタル変換して取得する各時点を設定することを特徴とする電流値取得方法。
【請求項２】
前記スイッチング素子それぞれのＰＷＭ周期のオン期間の長さを更に収集して前記テーブルを作成する請求項１に記載の電流値取得方法。
【請求項３】
前記ＰＷＭ周期の開始時点の所定時点からの遅れ量を昇順にソートし、ソートした遅れ量及び前記安定状態開始時点に基づき、前記取得する各時点を設定する請求項１又は２に記載の電流値取得方法。
【請求項４】
前記立下り開始時点を早い順にソートし、ソートした立下り開始時点及び前記安定状態開始時点に基づき、前記取得する各時点を設定する請求項１又は２に記載の電流値取得方法。
【請求項５】
直流電源からの電力を複数のスイッチング素子によりそれぞれＰＷＭ制御して複数の負荷に与え、前記複数のスイッチング素子に通流する各電流値を検出し、検出した各電流値をアナログ／ディジタル変換して取得する負荷制御装置において、
前記スイッチング素子それぞれの、ＰＷＭ周期の開始時点の所定時点からの遅れ量、ＰＷＭ周期、デューティ比、パルス波形の前記所定時点を基準とする立上り開始時点、パルス波形の前記所定時点を基準とする安定状態開始時点、及びパルス波形の前記所定時点を基準とする立下り開始時点を収集してテーブルを作成するテーブル作成手段と、該テーブル作成手段が作成したテーブル、及び前記アナログ／ディジタル変換の所要時間に基づき、前記各電流値をアナログ／ディジタル変換して取得する各時点を設定する設定手段とを備えることを特徴とする負荷制御装置。
【請求項６】
前記テーブル作成手段は、前記スイッチング素子それぞれのＰＷＭ周期のオン期間の長さを更に収集して前記テーブルを作成する請求項５に記載の負荷制御装置。
【請求項７】
前記設定手段は、前記ＰＷＭ周期の開始時点の所定時点からの遅れ量を昇順にソートする手段を備え、該手段がソートした遅れ量及び前記安定状態開始時点に基づき、前記取得する各時点を設定する請求項５又は６に記載の負荷制御装置。
【請求項８】
前記設定手段は、前記立下り開始時点を早い順にソートする手段を備え、該手段がソートした立下り開始時点及び前記安定状態開始時点に基づき、前記取得する各時点を設定する請求項５又は６に記載の負荷制御装置。
【発明の詳細な説明】
【技術分野】
【０００１】
本発明は、直流電力を複数のスイッチング素子によりそれぞれＰＷＭ制御して複数の負荷に与え、複数のスイッチング素子に通流する各電流値を検出し、検出した各電流値をアナログ／ディジタル変換して取得する負荷制御装置における電流値取得方法及び負荷制御装置に関するものである。
【背景技術】
【０００２】
車両に搭載された複数の負荷（ランプ、モータ等）を駆動制御する負荷制御装置では、オルタネータ（車載発電機）又はバッテリが出力した直流電力を、負荷それぞれのスイッチング素子によりＰＷＭ（Pulse Width Modulation）制御して、負荷それぞれに印加する電圧を制御する。この場合、各スイッチング素子を過電流から保護する為に、各スイッチング素子に通流する電流値を検出し、検出した各電流値は、負荷制御装置が取得して過電流に達しているか否かを判定している。過電流に達していると判定されたスイッチング素子はオフにされる。
【０００３】
特許文献１には、半導体スイッチ素子の端子間電圧を検出することにより電線温度が推定され、推定された電線温度が異常に上昇した場合には、その通電が遮断され、簡単な構造により、電線の異常な温度上昇から電線を保護する電線保護方法が開示されている。
【０００４】
特許文献２には、負荷への通流電流が所定時間毎に検出され、電線の上昇温度が、検出された通流電流を用いて、電線の放熱及び発熱に係る関係式により算出され、算出された上昇温度が基準温度に加算されて電線の温度が推定される電線保護方法が開示されている。推定電線温度と所定の上限温度との高低が判定され、その判定結果により、電力供給が停止、又は上昇温度算出が継続される。
【先行技術文献】
【特許文献】
【０００５】
【特許文献１】特開２００９−２２６９８４号公報
【特許文献２】特開２００９−１３０９４４号公報
【発明の概要】
【発明が解決しようとする課題】
【０００６】
上述した従来の負荷制御装置では、検出した各電流値を取得する際に、ＰＷＭ制御のパルス波形がオン（デューティ期間）であれば、取得した電流値×デューティ比で、通流した電流値を算出できるが、電流値を取得する際に、パルス波形がオフ（非デューティ期間）であれば、通流した電流値を正しく算出できないという問題がある。
【０００７】
本発明は、上述したような事情に鑑みてなされたものであり、ＰＷＭ制御される複数のスイッチング素子及び負荷に通流する各電流値を検出し、検出した各電流値をアナログ／ディジタル変換して取得する場合に、正確な電流値を取得することができる電流値取得方法を提供することを目的とする。
【０００８】
本発明は、また、ＰＷＭ制御される複数のスイッチング素子及び負荷に通流する各電流値を検出し、検出した各電流値をアナログ／ディジタル変換して取得する場合に、正確な電流値を取得することができる負荷制御装置を提供することを目的とする。
【課題を解決するための手段】
【０００９】
第１発明に係る電流値取得方法は、直流電源からの電力を複数のスイッチング素子によりそれぞれＰＷＭ制御して複数の負荷に与え、前記複数のスイッチング素子に通流する各電流値を検出し、検出した各電流値をアナログ／ディジタル変換して取得する負荷制御装置における電流値取得方法において、前記スイッチング素子それぞれの、ＰＷＭ周期の開始時点の所定時点からの遅れ量、ＰＷＭ周期、デューティ比、パルス波形の前記所定時点を基準とする立上り開始時点、パルス波形の前記所定時点を基準とする安定状態開始時点、及びパルス波形の前記所定時点を基準とする立下り開始時点を収集してテーブルを作成し、作成したテーブル、及び前記アナログ／ディジタル変換の所要時間に基づき、前記各電流値をアナログ／ディジタル変換して取得する各時点を設定することを特徴とする。
【００１０】
第２発明に係る電流値取得方法は、前記スイッチング素子それぞれのＰＷＭ周期のオン期間の長さを更に収集して前記テーブルを作成することを特徴とする。
【００１１】
第３発明に係る電流値取得方法は、前記ＰＷＭ周期の開始時点の所定時点からの遅れ量を昇順にソートし、ソートした遅れ量及び前記安定状態開始時点に基づき、前記取得する各時点を設定することを特徴とする。
【００１２】
第４発明に係る電流値取得方法は、前記立下り開始時点を早い順にソートし、ソートした立下り開始時点及び前記安定状態開始時点に基づき、前記取得する各時点を設定することを特徴とする。
【００１３】
第５発明に係る負荷制御装置は、直流電源からの電力を複数のスイッチング素子によりそれぞれＰＷＭ制御して複数の負荷に与え、前記複数のスイッチング素子に通流する各電流値を検出し、検出した各電流値をアナログ／ディジタル変換して取得する負荷制御装置において、前記スイッチング素子それぞれの、ＰＷＭ周期の開始時点の所定時点からの遅れ量、ＰＷＭ周期、デューティ比、パルス波形の前記所定時点を基準とする立上り開始時点、パルス波形の前記所定時点を基準とする安定状態開始時点、及びパルス波形の前記所定時点を基準とする立下り開始時点を収集してテーブルを作成するテーブル作成手段と、該テーブル作成手段が作成したテーブル、及び前記アナログ／ディジタル変換の所要時間に基づき、前記各電流値をアナログ／ディジタル変換して取得する各時点を設定する設定手段とを備えることを特徴とする。
【００１４】
第１発明に係る電流値取得方法及び第５発明に係る負荷制御装置では、直流電源からの電力を複数のスイッチング素子によりそれぞれＰＷＭ制御して複数の負荷に与え、複数のスイッチング素子に通流する各電流値を検出し、検出した各電流値をアナログ／ディジタル変換して取得する。テーブル作成手段が、スイッチング素子それぞれの、ＰＷＭ周期の開始時点の所定時点からの遅れ量、ＰＷＭ周期、デューティ比、パルス波形の所定時点を基準とする立上り開始時点、パルス波形の所定時点を基準とする安定状態開始時点、及びパルス波形の所定時点を基準とする立下り開始時点を収集してテーブルを作成する。設定手段が、テーブル作成手段が作成したテーブル、及びアナログ／ディジタル変換の所要時間に基づき、各電流値をアナログ／ディジタル変換して取得する各時点を設定する。
【００１５】
第６発明に係る負荷制御装置は、前記テーブル作成手段は、前記スイッチング素子それぞれのＰＷＭ周期のオン期間の長さを更に収集して前記テーブルを作成することを特徴とする。
【００１６】
第２発明に係る電流値取得方法及び第６発明に係る負荷制御装置では、テーブル作成手段は、スイッチング素子それぞれのＰＷＭ周期のオン期間の長さを更に収集してテーブルを作成する。
【００１７】
第７発明に係る負荷制御装置は、前記設定手段は、前記ＰＷＭ周期の開始時点の所定時点からの遅れ量を昇順にソートする手段を備え、該手段がソートした遅れ量及び前記安定状態開始時点に基づき、前記取得する各時点を設定することを特徴とする。
【００１８】
第３発明に係る電流値取得方法及び第７発明に係る負荷制御装置では、設定手段は、ソートする手段が、ＰＷＭ周期の開始時点の所定時点からの遅れ量を昇順にソートし、ソートした遅れ量及び安定状態開始時点に基づき、前記取得する各時点を設定する。
【００１９】
第８発明に係る負荷制御装置は、前記設定手段は、前記立下り開始時点を早い順にソートする手段を備え、該手段がソートした立下り開始時点及び前記安定状態開始時点に基づき、前記取得する各時点を設定することを特徴とする。
【００２０】
第４発明に係る電流値取得方法及び第８発明に係る負荷制御装置では、設定手段は、ソートする手段が、立下り開始時点を早い順にソートし、ソートした立下り開始時点及び安定状態開始時点に基づき、電流値を取得する各時点を設定する。
【発明の効果】
【００２１】
本発明に係る電流値取得方法によれば、ＰＷＭ制御される複数のスイッチング素子及び負荷に通流する各電流値を検出し、検出した各電流値をアナログ／ディジタル変換して取得する場合に、正確な電流値を取得することができる電流値取得方法を実現することができる。
【００２２】
本発明に係る負荷制御装置によれば、ＰＷＭ制御される複数のスイッチング素子及び負荷に通流する各電流値を検出し、検出した各電流値をアナログ／ディジタル変換して取得する場合に、正確な電流値を取得することができる負荷制御装置を実現することができる。
【図面の簡単な説明】
【００２３】
【図１】本発明に係る電流値取得方法及び負荷制御装置の実施の形態の要部構成を示す回路図である。
【図２】テーブルのイメージ例を示す説明図である。
【図３】ＰＷＭ信号の各属性を示す説明図である。
【図４】図２に示すテーブルの内容を示すタイミングチャートである。
【図５】本発明に係る負荷制御装置の動作例を示すフローチャートである。
【図６】テーブルの内容を、ＰＷＭ周期の開始時点の遅れ量の昇順でソートした結果の例を示すタイミングチャートである。
【図７】本発明に係る負荷制御装置の動作例を示すフローチャートである。
【図８】テーブルの内容を、パルス波形の立下り開始時点が早い順でソートした結果の例を示すタイミングチャートである。
【発明を実施するための形態】
【００２４】
以下に、本発明をその実施の形態を示す図面に基づき説明する。
（実施の形態１）
図１は、本発明に係る電流値取得方法及び負荷制御装置の実施の形態１の要部構成を示す回路図である。
この負荷制御装置１は、例えば車両に搭載された１２個の負荷１９〜３０（ここではランプ）毎にＰＷＭ信号を作成し、作成した各ＰＷＭ信号によりＩＰＤ（Intelligent Power Device）７〜１８を駆動するＰＷＭ駆動回路４を備えている。
【００２５】
負荷制御装置１は、また、ＩＰＤ７〜１８が、電源（オルタネータ、バッテリ）３１からの直流電力をＰＷＭ制御して、負荷１９〜３０へそれぞれ通流させた各電流値に応じた各電圧値を、Ａ／Ｄ（アナログ／ディジタル）変換するＡ／Ｄ変換器５と、Ａ／Ｄ変換器５がそれぞれＡ／Ｄ変換した各電圧値を各電流値として取得するマイクロコンピュータ（以下、マイコンと記載）２とを備えている。
【００２６】
マイコン２は、ＩＰＤ７〜１８毎に通流する各電流値を取得して、過電流に達しているか否かを判定し、過電流に達したと判定したときは、ＰＷＭ駆動回路４に当該ＩＰＤを遮断させる。
マイコン２は、外部から与えられた電源３１の電圧値、及び負荷１９〜３０毎の操作信号に基づき、負荷１９〜３０毎にデューティ比を算出し、算出したデューティ比でＰＷＭ駆動回路４にＩＰＤ７〜１８をそれぞれオン／オフ制御させる。
【００２７】
マイコン２は、ＰＷＭ駆動回路４に作成させるＩＰＤ７〜１８毎のＰＷＭ信号の属性、例えば、ＰＷＭ周期の開始時点の所定時点からの遅れ量、ＰＷＭ周期、デューティ比、パルス波形の所定時点を基準とする立上り開始（前縁）時点、パルス波形の所定時点を基準とする安定状態開始時点、パルス波形の所定時点を基準とする立下り開始（後縁）時点、及びＰＷＭ周期のオン期間の長さを収集して、図２に示すようなイメージのテーブル６を作成し、メモリ３に記憶させる。尚、ここでは、例えばＩＰＤ７〜１８をチャネル１〜１２にそれぞれ対応させる。
【００２８】
尚、ＰＷＭ周期のオン期間の長さは、必要の都度、パルス波形の立上り開始時点及び立下り時点から算出できるが、予め算出しておけば、その都度算出する手間が省ける。
また、上記各時点の基準となる所定時点は、何れかのＩＰＤ７〜１８（チャネル１〜１２）のＰＷＭ周期の開始時点とすれば良い。
【００２９】
尚、ＰＷＭ周期の開始時点の遅れ量ａ、ＰＷＭ周期ｂ、デューティ比ｃ、パルス波形の立上り開始時点ｄ、パルス波形の安定状態開始時点ｅ、パルス波形の立下り開始時点ｆ、及びＰＷＭ周期のオン期間（デューティ比）ｃを、パルス波形図上に図示すれば、図３に示すとおりである。
また、図２に示すテーブル６の内容をタイミングチャートで示すと、図４に示すとおりである。
【００３０】
以下に、このような構成の負荷制御装置１の動作を、それを示す図５のフローチャートを参照しながら説明する。
マイコン２は、先ず、チャネル１〜１２毎の、ＰＷＭ周期の開始時点の所定時点からの遅れ量、ＰＷＭ周期、デューティ比、パルス波形の所定時点を基準とする立上り開始時点、パルス波形の所定時点を基準とする安定状態開始時点、パルス波形の所定時点を基準とする立下り開始時点、及びＰＷＭ周期のオン期間の長さを収集し、図２に示すようなイメージのテーブル６を作成し（Ｓ１）更新する（Ｓ３）。
【００３１】
マイコン２は、次に、更新したテーブル６の内容を、図６に示すように、ＰＷＭ周期の開始時点の遅れ量の昇順でソート（整列）する（Ｓ５）。ここでは、チャネル３のＰＷＭ周期の開始時点を、上記各時点の基準となる所定時点としている。尚、ここでは、各ＰＷＭ周期の開始時点と各パルス波形の立上り開始時点とを一致させて、各ＰＷＭ周期内でのパルス波形の立上り開始の遅れ（位相ずれ［°］）を０としている。
【００３２】
マイコン２は、次に、ソートしたＰＷＭ周期の開始時点の遅れ量に基づき、パルス波形の安定状態開始時点（各ＰＷＭ周期の開始時点から２００μｓ後）が最も早いチャネル（ここでは３チャネル（ＩＰＤ９））の電圧信号のＡ／Ｄ（ＡＤ）変換をＡ／Ｄ変換器５に開始させる（Ｓ７）。
【００３３】
マイコン２は、次に、実行中のＡＤ変換の終了時点（ＡＤ変換の所要時間は既知である）でパルス波形が安定状態である（安定状態開始時点が経過している）チャネルが有るか否かを判定し（Ｓ９）、安定状態であるチャネルが有れば、安定状態であるチャネル中で、ＰＷＭ周期の開始時点の遅れ量が最も短いチャネルを選択する（Ｓ１１）。次いで、選択したチャネルの電圧信号のＡＤ変換を、実行中のＡＤ変換の終了時点で、Ａ／Ｄ変換器５に開始させる（Ｓ１３）。尚、マイコン２は、ＡＤ変換の終了時点で、ＡＤ変換した電圧値（電流値）の読込み（取得）を終了している。
【００３４】
マイコン２は、次に、全チャネルのＡＤ変換が完了見込み（ＡＤ変換は実行中である）であるか否かを判定し（Ｓ１５）、完了しないのであれば、再度、実行中のＡＤ変換の終了時点でパルス波形が安定状態であるチャネルが有るか否かを判定する（Ｓ９）。
マイコン２は、実行中のＡＤ変換の終了時点でパルス波形が安定状態であるチャネルが無ければ（Ｓ９）、残りのチャネル中で、ＰＷＭ周期の開始時点の遅れ量が最も短いチャネルを選択する（Ｓ１９）。次いで、選択したチャネルの電圧信号のＡＤ変換を、当該チャネルのパルス波形の安定状態開始時点で、Ａ／Ｄ変換器５に開始させる（Ｓ２１）。
【００３５】
マイコン２は、次に、全チャネルのＡＤ変換が完了見込み（ＡＤ変換は実行中である）であるか否かを判定し（Ｓ１５）、完了しないのであれば、再度、実行中のＡＤ変換の終了時点でパルス波形が安定状態であるチャネルが有るか否かを判定する（Ｓ９）。
マイコン２は、全チャネルのＡＤ変換が完了見込みであれば（Ｓ１５）、チャネル１〜１２毎の、ＰＷＭ周期の開始時点の所定時点からの遅れ量、ＰＷＭ周期、デューティ比、パルス波形の所定時点を基準とする立上り開始時点、パルス波形の所定時点を基準とする安定状態開始時点、パルス波形の所定時点を基準とする立下り開始時点、及びＰＷＭ周期のオン期間の長さを収集し、図２に示すようなイメージのテーブル６を作成し（Ｓ１７）更新する（Ｓ３）。
【００３６】
（実施の形態２）
図７は、本発明に係る電流値取得方法及び負荷制御装置の実施の形態２の動作を示すフローチャートである。尚、本実施の形態２の要部構成は、実施の形態１で説明した負荷制御装置１の構成と同様であるので、説明を省略する。
【００３７】
以下に、この負荷制御装置１の動作を、図７のフローチャートを参照しながら説明する。
マイコン２は、先ず、チャネル１〜１２毎の、ＰＷＭ周期の開始時点の所定時点からの遅れ量、ＰＷＭ周期、デューティ比、パルス波形の所定時点を基準とする立上り開始時点、パルス波形の所定時点を基準とする安定状態開始時点、パルス波形の所定時点を基準とする立下り開始時点、及びＰＷＭ周期のオン期間の長さを収集し、図２に示すようなイメージのテーブル６を作成し（Ｓ２３）更新する（Ｓ２５）。
【００３８】
マイコン２は、次に、更新したテーブル６の内容を、図８に示すように、パルス波形の立下り開始時点が早い順でソート（整列）する（Ｓ２７）。ここでは、チャネル３のＰＷＭ周期の開始時点を、上記各時点の基準となる所定時点としている。尚、ここでは、各ＰＷＭ周期の開始時点と各パルス波形の立上り開始時点とを一致させて、各ＰＷＭ周期内でのパルス波形の立上り開始の遅れ（位相ずれ［°］）を０としている。
【００３９】
マイコン２は、次に、ソートしたパルス波形の立下り開始時点に基づき、パルス波形の立下り開始時点が最も早いチャネル（ここでは２チャネル（ＩＰＤ８））の電圧信号のＡＤ変換を、当該チャネルのパルス波形の安定状態開始時点で、Ａ／Ｄ変換器５に開始させる（Ｓ２９）。
【００４０】
マイコン２は、次に、実行中のＡＤ変換の終了時点（ＡＤ変換の所要時間は既知である）でパルス波形が安定状態である（安定状態開始時点が経過している）チャネルが有るか否かを判定し（Ｓ３１）、安定状態であるチャネルが有れば、安定状態であるチャネル中で、パルス波形の立下り開始時点が最も早いチャネルを選択する（Ｓ３３）。次いで、選択したチャネルの電圧信号のＡＤ変換を、実行中のＡＤ変換の終了時点で、Ａ／Ｄ変換器５に開始させる（Ｓ３５）。尚、マイコン２は、ＡＤ変換の終了時点で、ＡＤ変換した電圧値（電流値）の読込み（取得）を終了している。
【００４１】
マイコン２は、次に、全チャネルのＡＤ変換が完了見込み（ＡＤ変換は実行中である）であるか否かを判定し（Ｓ３７）、完了しないのであれば、再度、実行中のＡＤ変換の終了時点でパルス波形が安定状態であるチャネルが有るか否かを判定する（Ｓ３１）。
マイコン２は、実行中のＡＤ変換の終了時点でパルス波形が安定状態であるチャネルが無ければ（Ｓ３１）、残りのチャネル中で、パルス波形の立下り開始時点が最も早いチャネルを選択する（Ｓ４１）。次いで、選択したチャネルの電圧信号のＡＤ変換を、当該チャネルのパルス波形の安定状態開始時点で、Ａ／Ｄ変換器５に開始させる（Ｓ４３）。
【００４２】
マイコン２は、次に、全チャネルのＡＤ変換が完了見込み（ＡＤ変換は実行中である）であるか否かを判定し（Ｓ３７）、完了しないのであれば、再度、実行中のＡＤ変換の終了時点でパルス波形が安定状態であるチャネルが有るか否かを判定する（Ｓ３１）。
マイコン２は、全チャネルのＡＤ変換が完了見込みであれば（Ｓ３７）、チャネル１〜１２毎の、ＰＷＭ周期の開始時点の所定時点からの遅れ量、ＰＷＭ周期、デューティ比、パルス波形の所定時点を基準とする立上り開始時点、パルス波形の所定時点を基準とする安定状態開始時点、パルス波形の所定時点を基準とする立下り開始時点、及びＰＷＭ周期のオン期間の長さを収集し、図２に示すようなイメージのテーブル６を作成し（Ｓ３９）更新する（Ｓ２５）。
【００４３】
実施の形態２のように、パルス波形の立下り開始時点をソートするようにすることにより、実施の形態１のようにＰＷＭ周期の開始時点の遅れ量の昇順でソートする場合に比べて、全チャネルのＡＤ変換の処理に要する時間が短縮される。
負荷制御装置１が、上述したように作動することにより、異なるＰＷＭ制御のパルス波形においても、確実にオン期間に電流値をＡＤ変換することができ、電流値を取得することができる。
【００４４】
負荷制御装置１は、負荷のチャネル情報をテーブル情報に編集するので、テーブル情報を変更するだけで、負荷の出力順番等を簡単に変更することができる。
また、デューティ比及びＰＷＭ周期の開始時点の遅れ量が導的に変化する負荷についても、電流値を取得する前にテーブル情報を更新し、ＡＤ変換の開始時点を算出することで、確実にオン期間にＡＤ変換することができ、電流値を取得することができる。
【符号の説明】
【００４５】
１  負荷制御装置
２  マイクロコンピュータ
３  メモリ
４  ＰＷＭ駆動回路
５  Ａ／Ｄ変換器
６  テーブル
７〜１８  ＩＰＤ
１９〜３０  負荷
３１  電源
【図１】
2015104943.tif 000003
【図２】
2015104943.tif 000004
【図３】
2015104943.tif 000005
【図４】
2015104943.tif 000006
【図５】
2015104943.tif 000007
【図６】
2015104943.tif 000008
【図７】
2015104943.tif 000009
【図８】
2015104943.tif 000010